(57)【特許請求の範囲】
【請求項１】
コンタクトと前記コンタクトを保持するハウジングとを備えているコネクタにおいて、
前記コンタクトは、基板に接触する接触部と、ケーブルが接続される接続部と、前記接触部と前記接続部とを連結する連結部とを有し、
前記ハウジングは、前記接触部を収容するハウジング本体と、前記ハウジング本体の外面に形成され、前記接続部を保持する保持部とを有し、
前記連結部が折れ曲がっており、
前記連結部がほぼ１８０度湾曲し、
前記保持部が前記ハウジング本体の正面、背面又は側面側のいずれかに位置する
ことを特徴とするコネクタ。
【請求項２】
前記ハウジング本体と前記保持部とが一体形成されていることを特徴とする請求項１記載のコネクタ。
【請求項３】
前記コンタクトは、前記接触部と対向し、前記基板の一部が前記ハウジング本体内に挿入されたときに前記接触部からの押圧力を受ける対向部を有する
ことを特徴とする請求項１又は２記載のコネクタ。
【請求項４】
前記ハウジング本体の内壁部に前記対向部を挿入する挿入孔が形成され、
前記基板の一部が前記ハウジング本体内に挿入されたとき、前記接触部と前記対向部とで前記基板と前記内壁部の一部とが挟持される
ことを特徴とする請求項３記載のコネクタ。
【請求項５】
前記接触部は、前記基板に押し付けられる接点部と、この接点部に連なり、前記ハウジング本体内に挿入される前記基板の一部を前記接点部に誘う誘い部とを有し、
前記コンタクトは、前記基板の一部が前記ハウジング本体内に挿入されるときに前記誘い部の先端部を保護する保護部を有する
ことを特徴とする請求項３又は４記載のコネクタ。
【請求項６】
ＬＥＤが実装された前記基板と、この基板が搭載されるシャーシと、このシャーシに搭載される請求項１〜５のいずれか１項記載のコネクタとを備えていることを特徴とする照明装置。
【請求項７】
ＬＥＤが実装された基板と、この基板が搭載されるシャーシと、このシャーシに搭載されるコネクタとを備え、
前記コネクタは、コンタクトと前記コンタクトを保持するハウジングとを備え、
前記コンタクトは、前記基板に接触する接触部と、ケーブルが接続される接続部と、前記接触部と前記接続部とを連結する連結部とを有し、前記ハウジングは、前記接触部を収容するハウジング本体と、前記ハウジング本体の外面に形成され、前記接続部を保持する保持部とを有し、前記連結部が折れ曲がっており、
前記シャーシに形成された孔を通じて前記基板と前記コネクタとが接続され、前記ハウジング本体に前記孔を塞ぐフランジ部が形成されている
ことを特徴とする照明装置。
【請求項８】
前記ハウジング本体と前記保持部とが一体形成されていることを特徴とする請求項７記載の照明装置。
【請求項９】
前記連結部がほぼ１８０度湾曲し、
前記保持部が前記ハウジング本体の正面、背面又は側面側のいずれかに位置することを特徴とする請求項７又は８記載の照明装置。
【請求項１０】
前記連結部がほぼ９０度湾曲し、
前記保持部が前記ハウジング本体の底面側に位置することを特徴とする請求項７又は８記載の照明装置。
【請求項１１】
前記コンタクトは、前記接触部と対向し、前記基板の一部が前記ハウジング本体内に挿入されたときに前記接触部からの押圧力を受ける対向部を有する
ことを特徴とする請求項７〜１０のいずれか１項記載の照明装置。
【請求項１２】
前記ハウジング本体の内壁部に前記対向部を挿入する挿入孔が形成され、
前記基板の一部が前記ハウジング本体内に挿入されたとき、前記接触部と前記対向部とで前記基板と前記内壁部の一部とが挟持される
ことを特徴とする請求１１記載の照明装置。
【請求項１３】
前記接触部は、前記基板に押し付けられる接点部と、この接点部に連なり、前記ハウジング本体内に挿入される前記基板の一部を前記接点部に誘う誘い部とを有し、
前記コンタクトは、前記基板の一部が前記ハウジング本体内に挿入されるときに前記誘い部の先端部を保護する保護部を有する
ことを特徴とする請求項１１又は１２記載の照明装置。
【発明の詳細な説明】
【技術分野】
【０００１】
この発明はコネクタ及び照明装置に関する。
【背景技術】
【０００２】
従来、図１８〜図２５に示すように、ハウジング４０３と一対のコンタクト４０５（但し、図１８には１つのコンタクト４０５だけが表れている。）と支持部材（図示せず）と弾性ゴム管４０８とカバー４０９とを備えているコネクタ４０１が知られている(下記特許文献１参照)。コネクタ４０１はプリント基板４２１と電線４２２とを電気的に接続するものである。なお、図１８〜図２３、図２４、図２５はそれぞれ下記特許文献１の図１〜図６、図９、図１０に対応する。但し、図中の符号は変更され、一部の符号は削除されている。
【０００３】
図２４に示すように、コンタクト４０５は、第１固定部４５１と第２固定部４５２と一対の連結部４５３（但し、図２４には１つの連結部４５３だけが表れている。）と接触部４５４と結線部４５５とを有する。接触部４５４はプリント基板４２１の端子部４１４（図２０参照）に接触する。結線部４５５には電線４２２が結線される。図２４に示すように、第１固定部４５１は嵌合離脱方向Ｄ１１へ延びている。
【０００４】
接触部４５４は第１固定部４５１から前方へ延び、第１固定部４５１の後端の方へ折り返されている。
【０００５】
結線部４５５は第１固定部４５１に連なり、ハウジング４０３の第１支持部４３１の厚さ方向に沿って延びている。図２４に示すように、結線部４５５は第１固定部４５１の長手方向に対して直角方向へ折れ曲がっている。
【０００６】
図２５に示すように、カバー４０９はカバー本体４９１と一対のコンタクト支持部４９２と一対のゴム管支持部４９３と一対の係合片４９４とを有する。
【０００７】
カバー本体４９１はほぼ板状である。一対のコンタクト支持部４９２はそれぞれほぼＬ字形であり、それぞれカバー本体４９１の内面の上端近傍から下端にかけて形成されている。コンタクト支持部４９２はコンタクト４０５の結線部４５５を支持する。一対の係合片４９４はそれぞれほぼ板状であり、それぞれカバー本体４９１の両側部に連結されている。係合片４９４には係合孔４４１が形成されている。
【０００８】
図２０に示すように、カバー４０９の係合孔４４１をハウジング４０３の係合突起４７２に係合させてカバー４０９をハウジング４０３に固定すると、コンタクト４０５の結線部４５５と弾性ゴム管４０８とがハウジング４０３とカバー４０９とによって支持される。
【０００９】
したがって、何等かの原因により電線４２２を引っ張る力が生じたとしても結線部４５５は塑性変形しない。
【先行技術文献】
【特許文献】
【００１０】
【特許文献１】特開２０１０−１６５６２７号公報（段落００２５、００３６、００４０、００４１、００４４、００４５、００５１、図１〜図６、図９、図１０等）
【発明の概要】
【発明が解決しようとする課題】
【００１１】
上述のように、従来のコネクタでは、コンタクト４０５の結線部４５５をカバー４０９で支持する構造が採用されているので、コネクタの部品点数が多くなる。
【００１２】
この発明はこのような事情に鑑みてなされたもので、その課題は、部品点数を増やさずにコンタクトの塑性変形を防ぐことができるコネクタ及び照明装置を提供することである。
【課題を解決するための手段】
【００１３】
上述の課題を達成するため請求項１記載の発明は、コンタクトと前記コンタクトを保持するハウジングとを備えているコネクタにおいて、前記コンタクトは、基板に接触する接触部と、ケーブルが接続される接続部と、前記接触部と前記接続部とを連結する連結部とを有し、前記ハウジングは、前記接触部を収容するハウジング本体と、前記ハウジング本体の外面に形成され、前記接続部を保持する保持部とを有し、前記連結部が折れ曲がっており、前記連結部がほぼ１８０度湾曲し、前記保持部が前記ハウジング本体の正面、背面又は側面側のいずれかに位置することを特徴とするコネクタ。
【００１４】
請求項２記載の発明は、請求項１記載のコネクタにおいて、前記ハウジング本体と前記保持部とが一体形成されていることを特徴とする。
【００１５】
（削除）
【００１６】
（削除）
【００１７】
請求項３記載の発明は、請求項１又は２記載のコネクタにおいて、前記コンタクトは、前記接触部と対向し、前記基板の一部が前記ハウジング本体内に挿入されたときに前記接触部からの押圧力を受ける対向部を有することを特徴とする。
【００１８】
請求項４記載の発明は、請求項３記載のコネクタにおいて、前記ハウジング本体の内壁部に前記対向部を挿入する挿入孔が形成され、前記基板の一部が前記ハウジング本体内に挿入されたとき、前記接触部と前記対向部とで前記基板と前記内壁部の一部とが挟持されることを特徴とする。
【００１９】
請求項５記載の発明は、請求項３又は４記載のコネクタにおいて、前記接触部は、前記基板に押し付けられる接点部と、この接点部に連なり、前記ハウジング本体内に挿入される前記基板の一部を前記接点部に誘う誘い部とを有し、前記コンタクトは、前記基板の一部が前記ハウジング本体内に挿入されるときに前記誘い部の先端部を保護する保護部を有することを特徴とする。
【００２０】
請求項６記載の発明の照明装置は、ＬＥＤが実装された前記基板と、この基板が搭載されるシャーシと、このシャーシに搭載される請求項１〜５のいずれか１項記載のコネクタとを備えていることを特徴とする。
【００２１】
請求項７記載の発明の照明装置は、ＬＥＤが実装された基板と、この基板が搭載されるシャーシと、このシャーシに搭載されるコネクタとを備え、前記コネクタは、コンタクトと前記コンタクトを保持するハウジングとを備え、前記コンタクトは、前記基板に接触する接触部と、ケーブルが接続される接続部と、前記接触部と前記接続部とを連結する連結部とを有し、前記ハウジングは、前記接触部を収容するハウジング本体と、前記ハウジング本体の外面に形成され、前記接続部を保持する保持部とを有し、前記連結部が折れ曲がっており、前記シャーシに形成された孔を通じて前記基板と前記コネクタとが接続され、前記ハウジング本体に前記孔を塞ぐフランジ部が形成されていることを特徴とする。
請求項８記載の発明は、請求項７記載の照明装置において、前記ハウジング本体と前記保持部とが一体形成されていることを特徴とする。
請求項９記載の発明は、請求項７又は８記載の照明装置において、前記連結部がほぼ１８０度湾曲し、前記保持部が前記ハウジング本体の正面、背面又は側面側のいずれかに位置することを特徴とする。
請求項１０記載の発明は、請求項７又は８記載の照明装置において、前記連結部がほぼ９０度湾曲し、前記保持部が前記ハウジング本体の底面側に位置することを特徴とする。
請求項１１記載の発明は、請求項７〜１０のいずれか１項記載の照明装置において、前記コンタクトは、前記接触部と対向し、前記基板の一部が前記ハウジング本体内に挿入されたときに前記接触部からの押圧力を受ける対向部を有することを特徴とする。
請求項１２記載の発明は、請求項１１記載の照明装置において、前記ハウジング本体の内壁部に前記対向部を挿入する挿入孔が形成され、前記基板の一部が前記ハウジング本体内に挿入されたとき、前記接触部と前記対向部とで前記基板と前記内壁部の一部とが挟持されることを特徴とする。
請求項１３記載の発明は、請求項１１又は１２記載の照明装置において、前記接触部は、前記基板に押し付けられる接点部と、この接点部に連なり、前記ハウジング本体内に挿入される前記基板の一部を前記接点部に誘う誘い部とを有し、前記コンタクトは、前記基板の一部が前記ハウジング本体内に挿入されるときに前記誘い部の先端部を保護する保護部を有することを特徴とする。
【発明の効果】
【００２２】
この発明によれば、部品点数を増やさずにコンタクトの塑性変形を防ぐことができる。
【図面の簡単な説明】
【００２３】
【図１】図１はこの発明の第１実施形態の照明装置の分解斜視図である。
【図２】図２は図１に示す照明装置の斜視図である。
【図３】図３は図１に示す照明装置を斜め下方から見た斜視図である。
【図４】図４はシャーシ及びプリント基板の斜視図である。
【図５】図５はコネクタの斜視図である。
【図６】図６は図５に示すコネクタを斜め下方から見た斜視図である。
【図７】図７は図５に示すコネクタの底面図である。
【図８】図８はコンタクトの斜視図である。
【図９】図９は図８に示すコンタクトの側面図である。
【図１０】図１０は図５に示すコネクタの分解斜視図である。
【図１１】図１１は図１に示す照明装置のコネクタの周辺部分を斜め下方から見た斜視図である。
【図１２】図１２は図１１に示すコネクタの周辺部分の側面図である。
【図１３】図１３は図１１に示すコネクタの周辺部分の断面図である。
【図１４】図１４はプリント基板をコネクタに挿入する前のコネクタの正面図である。
【図１５】図１５はプリント基板をコネクタに挿入した後のコネクタの正面図である。
【図１６】図１６はプリント基板をコネクタに挿入した後のコネクタの断面図である。
【図１７】図１７はこの発明の第２実施形態の照明装置のコネクタの断面図である。
【図１８】図１８は従来のコネクタをプリント基板に装着し、かつそれらを切断した状態を示す斜視図である。
【図１９】図１９は図１８に示すコネクタ及びプリント基板の平面図である。
【図２０】図２０は図１８に示すコネクタをプリント基板に装着する前の状態を示す斜視図である。
【図２１】図２１は図１８に示すコネクタの正面図である。
【図２２】図２２は図１８に示すコネクタの平面図である。
【図２３】図２３は図１８に示すコネクタのハウジングの斜視図である。
【図２４】図２４は図１８に示すコネクタのコンタクトの斜視図である。
【図２５】図２５は図１８に示すコネクタのカバーの斜視図である。
【発明を実施するための形態】
【００２４】
以下、この発明の実施の形態を図面に基づいて説明する。
【００２５】
まず、この発明の第１実施形態を図１〜図１６に基づいて説明する。
【００２６】
図１、図２、図３に示すように、照明装置２０は、コネクタ１と１０個のＬＥＤ（発光ダイオード）２１と２つのプリント基板（基板）２２とシャーシ２３と導光板２４と反射シート２５と電源装置２６とを備えている。照明装置２０は例えば液晶ディスプレイ装置のバックライトに用いられる。
【００２７】
図１４に示すように、２つのプリント基板２２はそれぞれ挿入部（基板の一部）２２ａを有する。挿入部２２ａはプリント基板２２の一端部に位置し、プリント基板２２の長手方向と直交する方向へ突出している。挿入部２２ａはコネクタ１に挿入される。挿入部２２ａの一側部には切欠２２ｂが形成され、挿入部２２ａの他側部には係合部２２ｃが形成されている。また、挿入部２２ａには２つのパッド２２ｄが形成されている。各プリント基板２２には５つのＬＥＤ２１が等間隔に実装されている。
【００２８】
図４に示すように、シャーシ２３はシャーシ本体２３ａと一対の折り曲げ片２３ｂ，２３ｃとを有する。シャーシ本体２３ａは平板状である。折り曲げ片２３ｂはシャーシ本体２３ａの一側部に連なる。折り曲げ片２３ｃはシャーシ本体２３ａの他側部に連なる。折り曲げ片２３ｂと折り曲げ片２３ｃとは対向する。シャーシ本体２３ａと折り曲げ片２３ｂとの連結部分には孔２３ｄが形成されている。孔２３ｄにはプリント基板２２の挿入部２２ａが通される。
【００２９】
図１、図２に示すように、導光板２４はシャーシ２３のシャーシ本体２３ａ上に配置され、ＬＥＤ２１から出射された光を折り曲げ片２３ｃの方へ導く。反射シート２５はシャーシ本体２３ａと導光板２４との間に配置される。反射シート２５は導光板２４からの光を反射する。
【００３０】
図３に示すように、電源装置２６は、プリント基板２６ａと、プリント基板２６ａに実装された複数の電子部品２６ｂとで構成され、ＬＥＤ２１に電力を供給する。電源装置２６はシャーシ本体２３ａの裏面（シャーシ本体２３ａの導光板２４が配置される面と反対側の面）に装着されている。
【００３１】
図５、図６、図７に示すように、コネクタ１はコンタクト３とハウジング５とを備えている。
【００３２】
図８、図９に示すように、コンタクト３はコンタクト本体３１と接続部３７と連結部３８とを有する。コンタクト３は金属板に打抜き加工及び曲げ加工を施すことによって形成されている。コンタクト本体３１は一対の接触部３２と保護部３３と一対の対向部３４と一対の本体連結部３５と一対の押し当て部３６とを有する。
【００３３】
各接触部３２はコンタクト挿入方向Ｄ１へ延びている。接触部３２は接点部３２ａと誘い部３２ｂとばね部３２ｃとを有する。接点部３２ａはプリント基板２２のパッド２２ｄに接触する。誘い部３２ｂは接点部３２ａの前部（コンタクト挿入方向Ｄ１で前側の部分）に連なり、コンタクト挿入方向Ｄ１に対して傾いている。ばね部３２ｃは接点部３２ａの後部（コンタクト挿入方向Ｄ１で後側の部分）に連なる。ばね部３２ｃは接点部３２ａをプリント基板２２のパッド２２ｄの方へ押圧する。
【００３４】
保護部３３はコンタクト挿入方向Ｄ１へ延びている。保護部３３の横断面はほぼＵ字形である。保護部３３の前端部（コンタクト挿入方向Ｄ１で前側の端部）には一対の保護板３３ａが連なる。保護板３３ａはコンタクト挿入方向Ｄ１で接触部３２の誘い部３２ｂの前方に位置する。保護部３３には孔３３ｂが形成されている（図１０、図１３参照）。
【００３５】
各対向部３４はコンタクト挿入方向Ｄ１へ延びている。各対向部３４の横断面形状はほぼＬ字形である。接触部３２と対向部３４との間にプリント基板２２の挿入部２２ａが挿入されたとき、対向部３４は接触部３２に押圧されたプリント基板２２の挿入部２２ａを支える。
【００３６】
各本体連結部３５は接触部３２と保護部３３と対向部３４とを連結する。
【００３７】
各押し当て部３６はほぼ板状であり、本体連結部３５の後端部（コンタクト挿入方向Ｄ１で後側の端部）に連なる（図７参照）。
【００３８】
接続部３７は導線接続部３７ａと被覆接続部３７ｂとを有する。導線接続部３７ａは圧着によりケーブル７の導線７ａに接続される（図７、図１３参照）。被覆接続部３７ｂは圧着によりケーブル７の被覆７ｂに接続される（図７、図１３参照）。
【００３９】
連結部３８はコンタクト本体３１と接続部３７とを連結する。連結部３８はＵ字状にほぼ１８０度折り曲げられている。
【００４０】
図５、図６、図７に示すように、ハウジング５は合成樹脂で形成され、ハウジング本体５１と４つの保持部５２とフランジ部５３と２つのロック部５４とを有する。ハウジング本体５１と保持部５２とフランジ部５３とロック部５４とは一体に形成されている。
【００４１】
ハウジング本体５１の前端部（コンタクト挿入方向Ｄ１で前側の端部）には嵌入部５１ａが形成されている。嵌入部５１ａはシャーシ２３の孔２３ｄに挿入される（図１３参照）。ハウジング本体５１の後部（コンタクト挿入方向Ｄ１で後側の部分）には４つの収容部５１ｂが形成されている（図６参照）。収容部５１ｂはコンタクト本体３１の後部（コンタクト挿入方向Ｄ１で後側の部分）を収容する（図１３参照）。ハウジング本体５１の前部（コンタクト挿入方向Ｄ１で前側の部分）には２つの受容部５１ｃが形成されている（図５参照）。各受容部５１ｃは２つの収容部５１ｂに通じている。受容部５１ｃはコンタクト本体３１の前部及びプリント基板２２の挿入部２２ａを受け容れる。ハウジング本体５１の２つの受容部５１ｃの間にはガイド部５１ｄが形成されている（図１６参照）。ハウジング本体５１の受容部５１ｃの内壁部にはランス５１ｅが形成されている（図１３参照）。ランス５１ｅはコンタクト挿入方向Ｄ１へ延びている。また、ハウジング本体５１の受容部５１ｃの内壁部には挿入孔５１ｇが形成されている（図１３参照）。挿入孔５１ｇはコンタクト挿入方向Ｄ１へ延びている。ハウジング本体５１の側面には溝５１ｆが形成されている（図１６参照）。溝５１ｆはコンタクト挿入方向Ｄ１へ延びている。
【００４２】
各保持部５２はハウジング本体５１の正面側に一体に形成されている。保持部５２はコンタクト３の接続部３７を保持する。保持部５２は一対の突起部５２ａを有する。一対の突起部５２ａの間隔はケーブル７の外径よりも大きく、被覆接続部３７ｂの幅よりも小さい（図７参照）。
【００４３】
フランジ部５３はハウジング本体５１の外周面に一体に形成されている。
【００４４】
各ロック部５４はハウジング本体５１の側面に一体に形成されている。ロック部５４はほぼ板状であり、操作部５４ａと爪部５４ｂとヒンジ部５４ｃとを有する（図１４参照）。ロック部５４はハウジング本体５１の側面に対向する。操作部５４ａはロック部５４の後部側に位置している。爪部５４ｂはロック部５４の前部側に位置し、ハウジング本体５１の側面に向って突出しているロック爪５４ｄを有する（図１４参照）。ヒンジ部５４ｃはほぼ板状であり、弾性変形可能であり、操作部５４ａと爪部５４ｂとをシーソー運動可能にハウジング本体５１に支持する。
【００４５】
コンタクト３をハウジング５に装着するには、予め導線接続部３７ａをケーブル７の導線７ａに圧着するとともに被覆接続部３７ｂをケーブル７の被覆７ｂに圧着して、ケーブル７を接続部３７に接続しておき、図１０に示すように、コンタクト３のコンタクト本体３１をコンタクト挿入方向Ｄ１に沿ってハウジング５の収容部５１ｂに挿入する。このとき、コンタクト３の対向部３４をハウジング５の挿入孔５１ｇに挿入し、コンタクト３の押し当て部３６（図１３参照）を指又は治具（図示せず）で押圧する。
【００４６】
ハウジング５に装着されたコンタクト３は、ハウジング５のランス部５１ｅの先端部がコンタクト３の孔３３ｂに嵌ることにより（図１３参照）、ハウジング５にロックされる。
【００４７】
コンタクト３がハウジング５に装着されたとき、コンタクト３の接続部３７はコンタクト挿入方向Ｄ１から保持部５２に収容され、保持される。その結果、ケーブル７が引っ張られても、接続部３７はほとんど動かず、連結部３８が変形しない。
【００４８】
図１１、図１２に示すように、コネクタ１はシャーシ２３のシャーシ本体２３ａの裏面側に配置される。このとき、コネクタ１のハウジング５の嵌入部５１ａはシャーシ２３の孔２３ｄに挿入され（図１３参照）、ハウジング５のフランジ部５３はシャーシ２３の孔２３ｄを塞ぐ。
【００４９】
ＬＥＤ２１が実装されたプリント基板２２をコネクタ１に接続するには、図１４に示すように、プリント基板２２の挿入部２２ａを基板挿入方向Ｄ２に沿ってコネクタ１の受容部５１ｃ（図５参照）に挿入すればよい。このとき、プリント基板２２の切欠２２ｂがハウジング５のガイド部５１ｄに嵌まることにより、プリント基板２２が基板挿入方向Ｄ２に沿って受容部５１ｃへ案内される。また、プリント基板２２の係合部２２ｃはハウジング５の溝５１ｆ（図１６参照）に挿入され、溝５１ｆ内を移動する。係合部２２ｃの一部分は溝５１ｆからハウジング本体５１の外へ突出する。係合部２２ｃが溝５１ｆ内を基板挿入方向Ｄ２に沿って移動するとき、係合部２２ｃはロック部５４の爪部５４ｂのロック爪５４ｄを押し退けて進み、係合部２２ｃが爪部５４ｂのロック爪５４ｄを通過すると、爪部５４ｂがヒンジ部５４ｃの復元力によって元の位置に戻る。その結果、係合部２２ｃに爪部５４ｂのロック爪５４ｄが引っ掛かり、プリント基板２２がコネクタ１にロックされる（図１５、図１６参照）。
【００５０】
プリント基板２２の挿入部２２ａをコネクタ１の受容部５１ｃに挿入するとき、コンタクト３の保護部３３の保護板３３ａによって挿入部２２ａの先端部がコンタクト３の接触部３２の誘い部３２ｂの先端部に突き当たらない。挿入部２２ａの先端部が保護板３３ａを通過すると、接触部３２の誘い部３２ｂが挿入部２２ａを接点部３２ａへ誘う。
【００５１】
プリント基板２２とコネクタ１とを分離するには、操作部５４ａの後部を指（図示せず）で押圧して係合部２２ｃと爪部５４ｂとの係合を解除し、プリント基板２２の挿入部２２ａをコネクタ１の受容部５１ｃから引き抜けばよい。
【００５２】
この実施形態によれば、ハウジング５に形成された保持部５２でコンタクト３の接続部３７が保持されるので、何等かの原因でケーブル７が引っ張られても、接続部３７が移動せず、連結部３８の変形を防止することができる。したがって、連結部３８の変形を防止するためのカバーが不要になり、コネクタ１の部品点数を減らすことができ、コストを低減することができる。
【００５３】
コンタクト３は対向部３４を有するので、接触部３２のばね部３２ｃのばね力（押圧力）をプリント基板２２を介して対向部３４が受け止めることができ、接触部３２のプリント基板２２に対する接触安定性を高めることができる。更に、プリント基板２２と対向部３４との間に、挿入孔５１ｇが形成されているハウジング５の内壁部の一部５１ｈが位置するので、プリント基板２２の挿入抜去に際してプリント基板２２が傷付くのを抑制できる。
【００５４】
また、コンタクト３は保護部３３を有するので、プリント基板２２の挿入部２２ａをコネクタ１の受容部５１ｃに挿入するときに、プリント基板２２の挿入部２２ａが接触部３２の誘い部３２ｂの先端部に突き当たらず、接触部３２が押圧されて変形（例えば座屈）することを防止することができる。
【００５５】
更に、コネクタ１のハウジング５にフランジ部５３を設けたので、フランジ部５３によってシャーシ２３の孔２３ｄを塞ぐことができ、電源装置２６側からＬＥＤ２１側へ塵埃が侵入するのを防止できる。更に、孔２３ｄを塞ぐための専用部品を必要としないので、コストを低減することができる。
【００５６】
また、プリント基板２２の挿入部２２ａをシャーシ２３の孔２３ｄを通じてコネクタ１に接続し、シャーシ２３のシャーシ本体２３ａの裏面側からコンタクト３をハウジング５に装着できるようにしたので、ケーブル７の結線作業をシャーシ２３の電源装置２６側だけで行うことができ、その結線作業が簡単になる。
【００５７】
次に、この発明の第２実施形態の照明装置を図１７に基づいて説明する。第１実施形態と共通する部分については同一符号を付してその説明を省略する。以下、第１実施形態と相違する部分についてだけ説明する。
【００５８】
図１７に示すように、第２実施形態の照明装置２２０では、コネクタ２０１のコンタクト２０３の連結部２３８がL字状にほぼ９０度折り曲げられている。ハウジング２０５の保持部２５２はハウジング本体２５１の底面側に形成され、コンタクト挿入方向Ｄ１と直交する方向へ延びている。
【００５９】
第２実施形態によれば、第１実施形態と同様の作用効果を奏する。
【００６０】
また、第１実施形態では、コンタクト挿入方向Ｄ１に対して平行な面であるハウジング本体５１の正面側に保持部５２を形成し、コンタクト３の連結部３８をＵ字状に１８０度折り曲げ、第２実施形態では、コンタクト挿入方向Ｄ１に対して直角な面であるハウジング本体５１の底面側に保持部２５２を形成し、コンタクト２０３の連結部２３８をＬ字状に９０度折り曲げたが、連結部の折曲げ角度は１８０度、９０度に限定されない。コンタクト挿入方向Ｄ１に対して保持部が傾斜するようにハウジング本体の外面（図示せず）に保持部を形成することにより、連結部の折曲げ角度を９０度〜１８０度の範囲で任意の角度に設定することができる。
【００６１】
なお、上述の実施形態では、保持部５２をハウジング本体５１の正面側に、保持部２５２をハウジング本体２５１の底面側にそれぞれ形成したが、保持部の位置はこれらに限られず、ハウジング本体の外面、すなわち正面、背面、側面、底面のいずれでもよく、正面や底面に限定されない。
【００６２】
また、上述の実施形態では、ハウジング本体５１，２５１と保持部５２，２５２とを一体形成したが、ハウジング本体５１，２５１と保持部５２，２５２とを別々に形成し、両者を一体的に結合してもよい。
【００６３】
なお、上述の実施形態では、シャーシ２３の孔２３ｄを通じてコネクタ１，２０１とプリント基板２２とを接続するようにしたが、必ずしも孔２３ｄを通じてコネクタ１，２０１とプリント基板２２とを接続する必要はない。孔２３ｄを通じてコネクタ１，２０１とプリント基板２２とを接続しない場合、コネクタ１のハウジング５，２０５のハウジング本体５１，２５１にフランジ部５３を設けなくてもよい。
【００６４】
また、上述の実施形態では、コンタクト３，２０３の接触部３２は本体連結部３５を介して連結部３８，２３８に連結されているが、保護部３３や対向部３４や押し当て部３６を採用しない構成のコンタクト（図示せず）の場合には接触部３２を連結部３８，２３８に直接連結してもよい。
【００６５】
なお、上述の実施形態では、２つのプリント基板２２を用いたが、１０個のＬＥＤ２１を実装することが可能な１つのプリント基板を用いてもよい。
【符号の説明】
【００６６】
１，２０１：コネクタ
２０，２２０：照明装置
２１：ＬＥＤ、２２：プリント基板（基板）
２２ａ：挿入部、２２ｂ：切欠、２２ｃ：係合部、２２ｄ：パッド
２３：シャーシ
２３ａ：シャーシ本体、２３ｂ：折り曲げ片、２３ｃ：折り曲げ片、２３ｄ：孔
２４：導光板
２５：反射シート
２６：電源装置
２６ａ：プリント基板、２６ｂ：電子部品
３，２０３：コンタクト
３１：コンタクト本体
３２：接触部
３２ａ：接点部、３２ｂ：誘い部、３２ｃ：ばね部
３３：保護部
３３ａ：保護板、３３ｂ：孔
３４：対向部
３５：本体連結部
３６：押し当て部
３７：接続部
３７ａ：導線接続部、３７ｂ：被覆接続部
３８，２３８：連結部
５，２０５：ハウジング
５１，２５１：ハウジング本体
５１ａ：嵌入部、５１ｂ：収容部、５１ｃ：受容部、５１ｄ：ガイド部、５１ｅ：ランス部、５１ｆ：溝、５１ｇ：挿入孔、５１ｈ：内壁部の一部
５２，２５２：保持部
５２ａ：突起部
５３：フランジ部
５４：ロック部
５４ａ：操作部、５４ｂ：爪部、５４ｃ：ヒンジ部、５４ｄ：ロック爪
７：ケーブル
７ａ：導線、７ｂ：被覆
Ｄ１：コンタクト挿入方向
Ｄ２：基板挿入方向
【図１】
0005828508.tif 000002
【図２】
0005828508.tif 000003
【図３】
0005828508.tif 000004
【図４】
0005828508.tif 000005
【図５】
0005828508.tif 000006
【図６】
0005828508.tif 000007
【図７】
0005828508.tif 000008
【図８】
0005828508.tif 000009
【図９】
0005828508.tif 000010
【図１０】
0005828508.tif 000011
【図１１】
0005828508.tif 000012
【図１２】
0005828508.tif 000013
【図１３】
0005828508.tif 000014
【図１４】
0005828508.tif 000015
【図１５】
0005828508.tif 000016
【図１６】
0005828508.tif 000017
【図１７】
0005828508.tif 000018
【図１８】
0005828508.tif 000019
【図１９】
0005828508.tif 000020
【図２０】
0005828508.tif 000021
【図２１】
0005828508.tif 000022
【図２２】
0005828508.tif 000023
【図２３】
0005828508.tif 000024
【図２４】
0005828508.tif 000025
【図２５】
0005828508.tif 000026